(57)【要約】【課題】既設構造物の支持基礎に対して所要拠点に独立して薬液注入し、構造物の支持基盤下の土壌中要所に固結構造体を形成して地盤の局部的圧密度を高め、地耐力を向上させて合理的に構造物を安定支持させる。【解決手段】構造物の基盤１の下側基礎土壌中に、所要位置にて薬液注入ロッド３を挿入設置し、その薬液注入ロッド３によって前記基盤１による荷重を載荷重としてかけつつ瞬結性薬液材を断続的に圧入操作し、先に注入されて固化されつつある固結体２０ａのホモゲル部を後続圧入される薬液材により割裂させ、前記固結体２０ａの周辺土壌中に薬液材を浸入させて、さらに割裂および／または浸透を繰返し、前記基盤１の下側に薬液材と土粒とによる固結構造体２０を独立して形成し、この固結構造体２０によって基礎土壌を圧密して地耐力を強化させる。【選択図】図２
2010261236.tif 000002
【特許請求の範囲】
【請求項１】
構造物の基盤下基礎土壌中に、所要位置にて薬液注入ロッドを挿入設置し、その薬液注入ロッドによって前記基盤による荷重を載荷重としてかけつつ瞬結性薬液材を断続的に圧入操作し、先に注入されて固化されつつある固結体のホモゲル部を後続圧入される薬液材により割裂させ、前記固結体の周辺土壌中に薬液材を浸入させて、さらに割裂および／または浸透を繰返し、前記基盤下に薬液材と土粒とによる固結構造体を独立して形成し、この固結構造体によって基礎土壌を圧密して地耐力を強化させることを特徴とする地盤改良工法。
【請求項２】
前記薬液注入ロッドの設置位置は、地盤における構造物の基盤形成投影面に対して、前記構造物による荷重作用中心を通る線上で載荷重が大きく付勢される方向に偏った位置で造成される前記固結構造体が相互に干渉しない間隔をおいて設けるようにし、複数箇所にて薬液注入位置を変えて順次薬液材の注入を行うようにする請求項１に記載の地盤改良工法。
【請求項３】
前記薬液注入ロッドの設置位置が、構造物の基盤が「べた基礎」である場合には、その基盤投影面積に応じて複数区分に配分し、その区分された区画ごとに配置して前記載荷重が薬液注入部に作用するようにし、薬液注入ロッドに対して所要のインターバルで薬液材を供給して注入する請求項１または２に記載の地盤改良工法。
【請求項４】
前記薬液注入ロッドの設置位置が、前記構造物の基盤が帯状の基礎である場合には、基盤下中心線上位置に吐出口を向けて前記薬液注入ロッドを所要の間隔で複数箇所に設置し、その配置される各薬液注入ロッドに対して所要のインターバルで薬液材を供給して注入する請求項２に記載の地盤改良工法。
【請求項５】
前記薬液注入ロッドの設置位置は、前記構造物の基盤が独立している場合、必要とするその独立基盤ごとに、その基盤下中心部に吐出口を向けて薬液注入ロッドを設置し、その配置される薬液注入ロッドに対して所要のインターバルで薬液材を供給して注入する請求項２に記載の地盤改良工法。
【請求項６】
前記薬液注入操作に加えて基盤から地中深く掘削して、金属棒にてなるアンカーを所要の間隔で基盤面積に応じた配分にて複数本打ち込み、これらアンカーにて薬液注入箇所への載荷重を付勢する請求項１〜３のうちいずれかに記載の地盤改良工法。
【発明の詳細な説明】
【技術分野】
【０００１】
本発明は、構造物の支持基盤下土壌に所要の配分で独立して薬液注入材を注入し、前記土壌の要所における圧密度を高め、支持基盤に対する地耐力を強化して地盤が安定できるようにする地盤改良工法に関するものである。
【背景技術】
【０００２】
構造物を支持する基礎の土壌を強化する手段としては、土壌中に薬液を注入して圧密度を高め軟弱地盤を強化するほか、土壌の液状化による地盤の不等沈下などを予防するのに薬液注入工法が採用されている。この薬液注入工法は、公知の薬液材を公知構造の薬液注入ロッドでもって土壌中に圧入して注入薬液材と土壌中の砂粒との結合によって広い範囲で土壌の圧密度を高め、地盤を改良するものであり、このような薬液注入による地盤改良に関しては、たとえば特許文献１で知られている。
【０００３】
また、不等沈下した地盤上で傾いた構造物を復元するのに薬液注入工法を応用した工法として、例えば特許文献２によって知られる工法（復元工法）がある。この復元工法では、構造物の基礎下部の土壌中に薬液注入ロッドを所要間隔で複数箇所に挿入配設し、その薬液注入ロッドによる薬液注入箇所で瞬結性の薬液材を注入する操作を、ある薬液注入箇所から次の薬液注入箇所へと所要のインターバルで順次切換えてこの注入操作を繰返し行い、各注入箇所において先に注入された薬液材のホモゲル部を割裂させ、さらに前記ホモゲル部の周辺の土壌中に薬液材を圧入させて拡大される固結構造体を形成することにより反力を増大させ、地耐力を高めて基盤上にある構造物を押し上げ、傾斜した構造物を正常に復元させるようにすることにある。また、前記要領で実施する薬液注入工法において、注入する薬液注入材に複数種のゲル化タイムの異なる薬液材を用い、前記要領で薬液注入箇所を巡るごとにこれらゲル化タイムの異なる薬液材を交互に切換えて注入操作を行う工法が、特許文献３によって知られている。
【０００４】
しかしながら、前記特許文献１によって知られる薬液注入工法では、構造物の建設前に施工する基礎地盤の改良工法であり、構造物の基礎となる土壌中に薬液材を分散浸透させて凝結させるものであるから、地質によるが土壌を圧密させて強化するには多量の薬液材を注入する必要がある。そして、この改良工法は、一般的に構造物の建築前に施工するものであり、建設後における建造物の支持地盤の強化安定手段としては作業の自在性が損なわれるという問題がある。したがって、十分な強化機能が発揮され難く、コストアップになって経済性が損なわれるなどの問題があった。
【０００５】
また、前記特許文献２，３によって知られる構造物の復元工法における薬液の注入手段では、地盤上の構造物に対する持上げ力を確保することに注力されているので多点注入になり、建造物を基礎もろともに持上げる操作になるので、どうしても薬液材の注入量も多くなり、一般的な地盤の強化改良を行うのに不適切である場合が多いという問題がある。
【先行技術文献】
【特許文献】
【０００６】
【特許文献１】特許第３４１８０６９号公報
【特許文献２】特許第３１２６８９６号公報
【特許文献３】特許第３６５３３０５号公報
【発明の概要】
【発明が解決しようとする課題】
【０００７】
本発明により解決しようとする問題点は、既設構造物の支持基礎に対して所要拠点に独立して薬液注入し、構造物の負荷を利用して支持基盤下の土壌中要所に順次前記負荷と平衡するように固結構造体を形成して地盤の局部的圧密度を高めることにより地耐力を向上させ、合理的に構造物を安定支持させ得る地盤改良工法を目的とすることにある。
【課題を解決するための手段】
【０００８】
前記目的を達成するために、本発明の地盤改良工法は、
構造物の基盤下基礎土壌中に、所要位置にて薬液注入ロッドを挿入設置し、その薬液注入ロッドによって前記基盤による荷重を載荷重としてかけつつ瞬結性薬液材を断続的に圧入操作し、先に注入されて固化されつつある固結体のホモゲル部を後続圧入される薬液材により割裂させ、前記固結体の周辺土壌中に薬液材を浸入させて、さらに割裂および／または浸透を繰返し、前記基盤下に薬液材と土粒とによる固結構造体を独立して形成し、この固結構造体によって基礎土壌を圧密して地耐力を強化させることを特徴とするものである。
【０００９】
前記発明における前記薬液注入ロッドの設置位置は、地盤における構造物の基盤形成投影面に対して、前記構造物による荷重作用中心を通る線上で載荷重が大きく付勢される方向に偏った位置で造成される前記固結構造体が相互に干渉しない間隔をおいて設けるようにし、複数箇所に薬液注入位置を変えて順次薬液材の注入を行うようにするのがよい。したがって、構造物の基盤が「べた基礎」である場合には、その投影面積に応じて複数区分に配分し、その区分された区画ごとに配置して前記載荷重が薬液注入部に作用するようにし、薬液注入ロッドに対して所要のインターバルで薬液材を供給して注入するのが好ましい。
【００１０】
また、前記薬液注入ロッドの設置位置が、前記構造物の基盤が帯状の基礎（布基礎）である場合には、基盤下中心線上位置に吐出口を向けて前記薬液注入ロッドを所要の間隔で複数箇所に設置し、その配置される各薬液注入ロッドに対して所要のインターバルで薬液材を供給して注入するのが好ましい。さらに、前記構造物の基盤が独立している場合は、必要とするその独立基盤ごとに、その基盤下中心部に吐出口を向けて薬液注入ロッドを設置し、その配置される薬液注入ロッドに対して所要のインターバルで薬液材を供給して注入するのが好ましい。
【００１１】
さらにまた、前記薬液注入操作に加えて基盤から地中深く掘削して、金属棒にてなるアンカーを所要の間隔で基盤面積に応じた配分にて複数本打ち込み、これらアンカーにて薬液注入箇所への載荷重を付勢するのが好ましい。こうすると、固結構造体による土壌の圧密効果を一層高めることができる。
【発明の効果】
【００１２】
本発明の地盤改良工法によれば、構築された構造物の基盤に対応して前記構造物の負荷による偏荷重と平衡させつつ土壌中に瞬結性の薬液材を断続的に注入することにより、基盤下の所要位置で薬液材と土粒との結合による固結構造体を造成し、前記偏荷重に対応する支持力を得て、この操作を前記基盤に対応した複数箇所で順次行うことにより基礎地盤全体の平衡した土壌の圧密・強化を図り、構造物に対応した地耐力で安定した地盤を形成することができる。
【００１３】
しかも、構造物の基盤に対応して基礎下土壌中の要所にのみ薬液注入して固結構造体を造成して地耐力を高める工法であるから、過度に薬液材を使用せず経済効果をも高めることができるのである。
【図面の簡単な説明】
【００１４】
【図１】図１は本発明による地盤改良工法の一実施形態を模式的に表わす図
【図２】図２は薬液注入操作時における一形態を一部を拡大して模式的に表わす図
【図３】図３は方形の構造物の基盤に対し複数区分して薬液材注入位置を設定するの一実施形態を表わす平面図で、（ａ）は配分した注入区画を表わし、（ｂ）〜（ｇ）は各注入区分での態様を表わす図
【図４】図４は本発明による地盤改良工法の他の実施形態を模式的に表わす立面図（ａ）と平面図（ｂ）
【図５】図５は基盤にアンカーを付加して薬液材注入を行う態様を表わす模式図
【発明を実施するための形態】
【００１５】
次に、本発明の地盤改良工法の一実施形態について、図面を参照しつつ説明する。
【００１６】
本発明の地盤改良工法は、基本的にすでに構築された構造物の基盤１の下側における地盤２（土壌）を強化するものであり、その基本的操作として地盤２に作用する構造物の荷重作用中心から離れた（偏心した）複数位置に薬液材注入位置を分担設定して注入時における載荷重を高めた状態で、一義的に瞬結性の薬液材の注入を行って土壌中に固結構造体を造成し、この操作を複数箇所で順次行って支持力を得ると同時に地盤の圧密度を高めることにある。
【００１７】
この実施形態では、図３（ａ）に例示するように、構造物の基盤１の投影面形状に対応した配分で複数に区分して分担区画を決め（この実施形態では６分割に区分している）、各区画の中央位置に薬液材注入位置を設定し、選択された順序で一区画ごとに薬液材を断続して注入操作を行い、以後この操作を順次他の区画に移動して施工するものである。図１に示されるのは、構造物の基盤下の所要箇所に薬液材を注入する実施形態を表わしている。
【００１８】
この際、前記構造物の基盤１がいわゆる「べた基礎」の場合は、その平面形状等によるが前記図３（ａ）で示されるように方形であるとすれば、その四隅部と所要長辺における中間部の少なくとも１箇所に薬液材注入位置を設定する。もちろん、周辺で取り囲まれる内側にも必要に応じて薬液材注入位置が配置される。これら薬液材注入位置は、注入される薬液材によって造成される固結構造体２０が独立して形成されるように配分することが好ましい。なお、前記内側の注入位置については、構造物の基盤１の投影面形状に応じて選択される。
【００１９】
使用される薬液注入ロッド３としては、公知の二重管構造のロッドが使用される。そして、この各薬液注入ロッド３には薬液供給ユニット１０の給液タンク１１，１２から高圧ポンプ１３，１３′によって開閉弁１４，１４′を介してＡ液とＢ液とが供給されるように供給管１５，１６（たとえばホース）が配管される。なお、前記高圧ポンプ１３，１３′から複数箇所に薬液注入ロッド３を設ける場合、その各薬液注入ロッド３への配管中には切換弁（図示省略）を設け、その切換弁・開閉弁を制御手段（図示せず）にて操作して自動的に薬液の供給を切換るようにすることができる。
【００２０】
一方、前記薬液注入ロッド３により注入する薬液材は、瞬結性の薬液材が使用され、たとえばＡ液としては硫酸（７５％），珪酸ソーダ（５号）と水とが、ほぼ６：３４：６０の割合のものを２００リットル、Ｂ液としてはカルシウムアルミノシリケートと消石灰とセメントと重炭酸ナトリウムおよび水とが、１０：１０：７５：３：残量の割合のもの２００リットルとし、そのＡ液とＢ液とが１：１の割合で混合注入されてゲル化タイム約１〜３ｓｅｃのグラウトが用いられる。なお、この薬剤の成分については、上記成分に特定されるものではなく、ゲル化タイムを変えるとともに結合強度を維持できるに適した成分のものを採用することができる。
【００２１】
このような薬液材は、薬液供給ユニット１０のＡ液，Ｂ液各１台の高圧ポンプ１３，１３′によって高圧力で１０〜２０リットル／ｍｉｎ程度の吐出量にて各薬液注入ロッド３に順次もしくは選択的に供給する。注入圧力については、土壌が砂質層の場合で比較的注入速度が速い状態では低圧力で注入することができる。また、粘土質の土壌では注入時の抵抗が高まるので注入圧力を高める必要がある。
【００２２】
前記薬液材注入に際しては、所要の圧力で薬液注入を行うと、薬液注入ロッド３の吐出口３ａでＡ液とＢ液とが混合されて土壌中に圧入される。注入混合された薬液材（Ａ液とＢ液）は、薬液注入ロッド３の吐出口３ａから噴出してゲル化タイムの範囲内で液状に保たれて自由に流動浸透し、土粒との結合で、まず初期段階での固結体２０ａが形成される。こうして形成される固結体２０ａの外周部では、先に注入されて土壌中で土砂（土粒）を巻き込んで凝結するが、その固結体２０ａが強度発現途中であるために容易に脈状割裂し、この割裂部分２１から噴出する後続薬液材の一部が土壌中に浸透する。この浸透した薬液材は、当該部分で土粒と混合して凝固し、先に形成された固結体２０ａの周囲に新たな固結層２０ｂが形成され、固結体２０ａが増大される（図２の拡大図示部参照）。薬液注入ロッド３からは、所要のインターバルで断続的に薬液材を注入するので、初期の固結体２０ａ内部から周囲に拡張された固結層２０ｂ内に圧入され、さらに前述のように新たに形成される固結層の周辺を脈状割裂し、さらにまた周囲の土壌中に拡散される。
【００２３】
こうして注入される薬液材注入位置では、まず、構造物の荷重作用中心位置から離れた分担区画の設定位置、例えば図３（ｂ）に位置Ａ（以下、「第１注入位置」という。）で示す箇所で、その構造物の基盤１を貫通して図１に例示するように薬液注入ロッド３を挿入し、基盤１の下側土壌中に向けて吐出口３ａが開口するように設置される。この薬液注入ロッド３には前述の薬液材を供給して土壌中に圧入すると、その薬液注入ロッド３の吐出口３ａを中心とした周囲に薬液材が分散浸入し、この薬液材と土粒との結合（凝結）により固結構造体２０が造成される。この際、薬液材注入位置の所要範囲に載荷重が大きく作用するようにして、薬液材の注入が行われるようにする。すなわち、地盤２の上層を覆っている構造物の基盤１を載荷盤とみなし、その一端部（薬液材注入位置（第１注入位置）と反対端）を支持点として前記荷重作用中心Ｐまでの距離Ｌと前記一端部から前記荷重作用中心Ｐを通る線上で薬液注入位置（第１注入位置）までの距離Ｌ′の比（Ｌ：Ｌ′）で、分担する荷重を拡大して前記第１注入位置の所要範囲に載荷重が大きく作用するようにする。この結果、造成される固結構造体２０の周辺土壌に対する圧密度がより高められる。
【００２４】
この注入操作を行う過程では、図３（ｂ）で模式的に示されるように、基盤１下において前記薬液注入による固結構造体２０の形成に伴いフリーの状態にある前記基盤１の支点Ｑ（端部）側で負荷反力が生じ、その基盤１の端部Ｑに対応する部分の土壌が連動して圧密される。また、この圧密される部分と前記固結構造体２０の造成部との間の基盤下部分では、載荷重が前記薬液注入位置（第１注入位置Ｐ１）を中心とする放射状に中間部分へ次第に減少する態様で分布伝播して付勢される（この態様をハッチングの密度で表わしている）。なお、この薬液材の注入時には、基盤１のレベルを計測しつつ行われ、平衡状態を保ちながら実施される。
【００２５】
前記割裂・浸透作用は、その挙動が施工される地盤の地質によって異なり、たとえば地盤が砂質層である場合、固結体２０ａのホモゲル部を割裂した薬液材は割裂した固結体２０ａの周辺土壌中に浸透して砂粒を巻き込んで凝結し、その挙動が間歇的に繰返し行われることにより、その固結体２０ａが拡大造成される。また、地盤の地質が粘土質層である場合は、薬液材の注入抵抗が高まるので、先に形成された固結体２０ａのホモゲル部を割裂して周辺の土壌中へ浸入しようとする薬液材が土壌に注入圧を付勢して均衡する状態まで押し広げ、固結体２０ａを拡大造成するとともに、周囲の土壌を圧縮し、結果的に土壌を圧密する。なお、地質によっては、前記薬液材の挙動について割裂および／または浸透が並行して繰り返され、固結体２０ａの拡大造成を行うことができる。
【００２６】
このようにして一箇所での薬液注入操作が終了すれば、次に図３（ｃ）で示されるように、前記第１注入位置Ｐ１とは平面対称位置の薬液注入位置（第２注入位置Ｐ２）に薬液注入ロッド３を設置して前記要領で薬液材の注入を行う。この薬液材の注入によって、土壌には前述のように、基盤１の端部を支点Ｑ２として載荷重が作用し、当該位置に固結構造体２０が造成されるとともに、周辺土壌の圧密がなされる。
【００２７】
その後においては、図３（ｄ）で示されるように、前記第２注入位置Ｐ２と対角位置（第３注入位置Ｐ３）に薬液注入ロッド３を設置して前記同様に薬液材を注入する。この状態での薬液注入操作では、先に造成された固結構造体２０上に載荷盤となる基盤１の支点Ｑ′が位置することになるので、その支点Ｑ′が安定支持されて第３注入位置Ｐ３には前記要領で作用する載荷重が有効に機能し、薬液注入による固結構造体２０の造成効果を高め得る。次に対称位置となる第４注入位置Ｐ４（図３（ｅ）参照。）にては、前記第３注入位置Ｐ３と同様にして薬液注入操作が行われ、固結構造体２０の造成が行われる。
【００２８】
こうして基盤１の四方隅部の下側地盤に固結構造体２０が造成された後には、図３（ｆ），（ｇ）で示されるように、前記第１注入位置Ｐ１と第３注入位置Ｐ３、および第２注入位置Ｐ２と第４注入位置Ｐ４との各中間位置（第５注入位置Ｐ５と第６注入位置Ｐ６）とにおいて薬液注入操作を行う。この第５および第６注入位置Ｐ５，Ｐ６では、いずれも構造物の荷重作用中心位置Ｐと前記第５または第６注入位置Ｐ５，Ｐ６を通る線上で基盤１の対向する側辺部を支点Ｑ″として載荷重が作用することになる。この状態では、すでに第１注入位置Ｐ１から第４注入位置Ｐ４までにおいて固結構造体２０の造成が行われ、それぞれ固結構造体２０の周辺部土壌が圧密強化されているから、各固結構造体２０間に生じている前記強化部分より低圧密状態にある土壌に対して薬液注入操作が前述のように行われると、対応する土壌が平衡するまでの範囲で固結構造体２０を造成し、周辺部土壌を圧密する。
【００２９】
こうして基盤１の下側土壌中に固結構造体２０が造成されると、これらの固結構造体２０により、周囲の土壌がその固結構造体２０と一体結合され、あるいは土壌が周囲に押し退けられて周辺部での土壌が圧密され、併せて固結構造体２０が支持構造体となり、両者の機能によって地盤の地耐力が増強されることになる。したがって、構造物の基盤１の大きさに対応する所要箇所に前記薬液材注入箇所を配分することにより、それぞれの薬液注入ロッド３での薬液材注入操作を望ましいインターバルをとって順次注入作業を実施すると、目的構造物の基礎地盤を強化安定させることができる。
【００３０】
次に、本発明の地盤改良工法を構造物の基礎が帯状の基礎構造、いわゆる布基礎にも適用することができる。この場合には、図４（ａ）（ｂ）に示すように、その構造物の大きさに対応して基礎部となる支持基盤１Ａに沿って造成される固結構造体２０が相互に干渉しないよう、所要の間隔をおいて支持基盤１Ａ下の中心線上位置に吐出口３ａが向かうようにして土壌に薬液注入ロッド３を複数配設する。
【００３１】
所要間隔で複数配設する薬液注入ロッド３とその各薬液注入ロッド３による基礎土壌中への薬液注入要領は、前述の薬液注入形態と同様に行う。こうして薬液材が注入される各薬液材注入箇所では、薬液材が基盤投影面から食み出さないように注入圧力を加減して注入するのが好ましい。こうすると、前述のようにして固結構造体２０が構造物の帯状の支持基盤１Ａ下側土壌中に造成され、当該基礎下における土壌の圧密と固結構造体２０による支持力とにより地耐力が強化される。
【００３２】
また、構造物の基礎が独立基礎構造である場合に適用するには、図示省略するが、その基礎部下側中心部に対してそれぞれ薬液注入ロッドを挿入配置する。各薬液注入ロッドに対しては、前記実施形態と同様に薬液材の供給ユニットから配管し、前記要領で薬液材を供給して前記基礎部下の土壌中に固結構造体をそれぞれ造成し、当該位置の土壌の圧密と造成された固結構造体による支持力とによって地耐力の強化を図ることができる。
【００３３】
なお、前記実施形態において、注入する薬液材として瞬結性薬液材を使用する場合について説明したが、瞬結性薬液材と緩結性薬液材とを現場の状況に応じて切換えて使用することも可能である。前記緩結性薬液材としては、たとえばＡ液としては珪酸ソーダ（５号）と水とを３０：７０の割合のものを２００リットル、Ｂ液としてはカルシウムアルミノシリケートと消石灰とセメントと重炭酸ナトリウムと水とが１０：１０：７５：３：残量の割合のものを２００リットルとして、１：１の割合で混合注入されるゲル化タイムが３０〜６０ｓｅｃのグラウトが用いられる。もちろん、この薬液材の成分は、上記に限定されるものではなく、ゲル化タイムを変えるとともに結合強度を維持できるに適した成分のものを採用することができる。
【００３４】
また、図５に示されるように、例えば基盤１における薬液注入位置の近傍で、この基盤１から地中深く安定した地層２a（好ましくは岩盤、砂礫層などに達するようにして）まで掘削し、金属棒にてなるアンカー２５を所要間隔で複数本打ち込んで、その先端部を薬液で地中に固定する。なお、このアンカー２５は必要に応じて途中で公知手段により接続して使用される。また、このアンカー２５は上端部を地上部に突き出させて基盤１上で盤木２４などを介してジャッキ２３により緊張状態に保持させて維持させる。こうすることにより基盤１に負荷をかけ薬液材の注入時における載荷重をより強力に付勢させることができる。
【００３５】
このようなアンカーを用いる基盤への載荷重付加手段を採用すれば、前述の実施形態による薬液材注入による地盤改良をより一層効果的に実施することができる。
【産業上の利用可能性】
【００３６】
本発明の地盤改良工法は、構造物として一般の建物のほかに、造成地における盛土のＬ字型擁壁や造成用水路の基盤安定化あるいはボックスカルバートの安定化など土木工事における構造物の基盤を支持する地盤の安定手段として適用することができる。
【符号の説明】
【００３７】
１    構造物の基盤
１Ａ    帯状の支持基盤
２    地盤
３      薬液注入ロッド
３ａ    吐出口
１０    薬液供給ユニット
１３，１３′    高圧ポンプ
２０    固結構造体
２０ａ    固結体
２０ｂ    固結層
２１    割裂部分
２５    アンカー
Ｐ    構造物の荷重作用中心
Ｐ１〜Ｐ６    薬液注入位置
【図１】
2010261236.tif 000003
【図２】
2010261236.tif 000004
【図３】
2010261236.tif 000005
【図４】
2010261236.tif 000006
【図５】
2010261236.tif 000007